(57)【要約】【課題】光軸方向に隣接する複数枚のレンズの互いに対向するレンズ面間の距離を適正に規制することができ、ひいては良好な光学特性を得ることのできるレンズおよびこれを用いた撮像装置を提供すること。【解決手段】突き当て構造部１１が、２つのレンズ面２，３のうち、外周縁部２ａ，３ａおよび突き当て構造部１１を含めた微視的表面積が、他方のレンズ面３よりも小さくなるレンズ面２側の外周縁部２ａに形成されていること。【選択図】      図１
2004317561.tif 000002
【特許請求の範囲】
【請求項１】
光軸方向に所定のレンズ厚を隔てて形成された２つのレンズ面のうちの一方のレンズ面に連なる外周縁部に、光軸方向に突出するようにして前記一方のレンズ面と一体的に形成され、前記一方のレンズ面に臨む位置に配置される相手方レンズに直接または間隔保持部材を介して当接することによって、前記一方のレンズ面と、このレンズ面に対向する前記相手方レンズのレンズ面との間の距離を規制可能とされた突き当て構造部を有するレンズにおいて、
前記突き当て構造部は、前記２つのレンズ面のうち、前記外周縁部および前記突き当て構造部を含めた微視的表面積が、他方のレンズ面よりも小さくなるレンズ面側の外周縁部に形成されていることを特徴とするレンズ。
【請求項２】
前記突き当て構造部は、前記相手方レンズに当接する唯一の当接面を有することを特徴とする請求項１に記載のレンズ。
【請求項３】
前記突き当て構造部が形成されていないレンズ面側の外周縁部には粗面化処理が施され、前記突き当て構造部及びこの突き当て構造部が形成されているレンズ面側の外周縁部には粗面化処理が施されていないことを特徴とする請求項１または請求項２に記載のレンズ。
【請求項４】
光軸方向に所定のレンズ厚を隔てて形成された２つのレンズ面のうちの一方のレンズ面に連なる外周縁部に、光軸方向に突出するようにして前記レンズ面と一体的に形成され、前記一方のレンズ面に臨む位置に配置される相手方レンズに直接または間隔保持部材を介して当接することによって、前記一方のレンズ面と、このレンズ面に対向する前記相手方レンズのレンズ面との間の距離を規制可能とされた突き当て構造部を有する撮像レンズと、
この撮像レンズの像面側に配置される撮像素子と
を備えた撮像装置において、
前記突き当て構造部は、前記２つのレンズ面のうち、前記外周縁部および前記突き当て構造部を含めた微視的表面積が、他方のレンズ面よりも小さくなるレンズ面側の外周縁部に形成されていることを特徴とする撮像装置。
【請求項５】
前記突き当て構造部は、前記相手方レンズに当接する唯一の当接面を有することを特徴とする請求項４に記載の撮像装置。
【請求項６】
前記突き当て構造部が形成されていないレンズ面側の外周縁部には粗面化処理が施され、前記突き当て構造部及びこの突き当て構造部が形成されているレンズ面側の外周縁部には粗面化処理が施されていないことを特徴とする請求項４または請求項５に記載の撮像装置。
【発明の詳細な説明】
【０００１】
【産業上の利用分野】
本発明は、レンズ及びこれを用いた撮像装置に係り、特に、携帯型のコンピュータ、テレビ電話またはカメラ付携帯電話等に搭載されるＣＣＤ、ＣＭＯＳ等の撮像素子を利用した撮像装置に用いられ、小型軽量化に好適なレンズおよびこれを用いた撮像装置に関する。
【０００２】
【従来の技術】
従来から、プラスチック等の樹脂材料を射出成形することによってレンズを製造する技術が採用されている。このような樹脂製のレンズを製造する際には、固定盤側金型と可動盤側金型とで形成されるキャビティ内に樹脂材料を射出した後に硬化させ、取り出しの際には、可動盤側金型を固定盤側金型から離間させて、一方の金型（通常は可動盤側）に残った製品をエジェクタピンによって金型から突き出すようになっている。
【０００３】
従って、レンズの形状（巨視的にみたレンズの形状）を見て金型への食い付きが発生し易いと想定されるレンズ面側を、エジェクタピンによって金型から突き出す突き出し側にして成形を行うことが常識とされている。
【０００４】
また、従来から、複数枚のレンズを物体側から像面側に向かって順次配置した複数枚組のレンズ系においては、図１０および図１１に示すように光軸１方向に所定のレンズ厚を隔てて形成された２つのレンズ面２，３のうちの一方のレンズ面３に連なる外周縁部３ａに、光軸１方向に沿って突出形成された突き当て構造部６を備えた構成のレンズ４が採用されていた。
【０００５】
このようなレンズ系によれば、突き当て構造部６を、組み合わせて使用される相手方レンズにおける突き当て構造部６と対向する当接部位（例えばフランジ部）に当接させることによって、光軸１方向に隣位する２枚のレンズにおける互いに対向するレンズ面間の距離を規制して、所望のレンズ系を構成するものである。
【０００６】
【特許文献１】
特開２００２−９０６２１号公報
【０００７】
【発明が解決しようとする課題】
ところで、射出成形によりレンズを製造する際には、金型内で硬化されたレンズは、金型開きの際に、表面積が大きなレンズ面側が金型に食い付いて残るため、この表面積が大きなレンズ面側が、エジェクタピンによる突き出し側となる。
【０００８】
従って、レンズの表面積を更に大きくする突き当て構造部は、図１０に示すように、元々形状的にみて表面積が大きな突き出し側（図１０においてはパーティングラインＰ．Ｌ．を挟んで右側となる可動盤側）とされるレンズ面３に連なる外周縁部３ａに形成することが常識とされていた。
【０００９】
このため、従来の構成においては、図１１に示すように、エジェクタピンの当接部位と、突き当て構造部６の形成部位とが同一のレンズ面３側に競合することとなり、この結果、突き当て構造部６を、突き出し時にエジェクタピンが当接するエジェクタピン当接部７を避けるように複数に分割して形成することを余儀なくされていた。
【００１０】
このように、突き当て構造部６を分割して形成すれば、各突き当て構造部６の相手方レンズに対する当接面６ａの面積は、分割していない場合に比較して当然に小さくなる。
【００１１】
また、一般に、樹脂材料を用いたレンズの射出成形においては、図１１及び図１２に示すように、レンズ４の外周縁部に「Ｄカット９」と称される切り欠き部を形成し、ここに、金型内への樹脂材料を流入するための、いわゆるゲートを配置することが行われているが、このような場合、突き当て構造部６を形成するためのフランジ部がその分だけ小さくなってしまう。
【００１２】
そのため、突き当て構造部６の当接面６ａの面積は更に小さなものとなり、その結果として相手方レンズに対して当接する際に、いわゆる圧子のような形で作用してしまうことによって、相手方レンズにおける突き当て構造部６の当接部位が潰されてしてしまうといった不具合や、突き当て構造部６自体が相手方レンズに対する当接の際に潰れてしまうといった不具合を生じさせていた。
【００１３】
例えば、図１３に示す二枚組のレンズのように、突き当て構造部６を備えた２枚のレンズ４の突き当て構造部６同士を互いに当接させることによって両レンズ４のレンズ面３間の距離を調整する場合においては、突き当て構造部６が互いに圧壊してしまうことによって、レンズ面３間の距離を適正に規制することができない場合があった。
【００１４】
このような不具合を解消すべく、例えば、突き出しに用いるエジェクタピンを細径化することによって突き当て構造部６の当接面６ａの面積を相対的に大きくすることも考えられる。
【００１５】
しかし、この場合は、エジェクタピンをあまり細くしてしまうとエジェクタピン自体のレンズ４の突き出しに必要な充分な強度を確保することができずに折れてしまうか、または、エジェクタピンのレンズ４のエジェクタピン当接部７に対する圧力が強くなり過ぎてエジェクタピンがレンズ４に突き刺さってしまうといった別の新たな不具合を生じさせてしまう。
【００１６】
なお、金型からのレンズ４の突き出しの際にエジェクタピンを突き当て構造部６自体に当接させるようにすれば、突き当て構造部６を図１１に示したように複数に分割して形成する必要も無くなるとも考えられる。
【００１７】
しかしながら、この場合は、エジェクタピンで突いた部位には製品からみて凸部となるバリが発生し易くなるため、位置決め部として機能する突き当て構造部６自体をエジェクタピンによって突くことは好ましくない。
【００１８】
したがって、従来は、複数枚組のレンズ系を構成するにあたって、各レンズのレンズ面間の距離を適正に規制することができず、この結果、平行偏心および軸倒れ（チルト）等のレンズ面間の相対的な偏心が生じ、レンズ系が良好な結像性能を発揮することができないといった問題を有していた。
【００１９】
本発明は、このような問題点に鑑みなされたもので、光軸方向に隣接する複数枚のレンズの互いに対向するレンズ面間の距離を適正に規制することができ、ひいては良好な光学特性を得ることのできるレンズおよびこれを用いた撮像装置を提供することを目的とするものである。
【００２０】
【課題を解決するための手段】
前記目的を達成するため本発明の請求項１に係るレンズの特徴は、光軸方向に所定のレンズ厚を隔てて形成された２つのレンズ面のうちの一方のレンズ面に連なる外周縁部に、光軸方向に突出するようにして前記一方のレンズ面と一体的に形成され、前記一方のレンズ面に臨む位置に配置される相手方レンズに直接または間隔保持部材を介して当接することによって、前記一方のレンズ面と、このレンズ面に対向する前記相手方レンズのレンズ面との間の距離を規制可能とされた突き当て構造部を有するレンズにおいて、前記突き当て構造部が、前記２つのレンズ面のうち、前記外周縁部および前記突き当て構造部を含めた微視的表面積が、他方のレンズ面よりも小さくなるレンズ面側の外周縁部に形成されている点にある。
【００２１】
そして、この請求項１に係る発明によれば、エジェクタピンによる突き出し側とは逆側のレンズ面に連なる外周縁部に突き当て構造部を形成することができるため、突き当て構造部の相手方レンズに対する当接面の面積を大きくすることができ、この結果、光軸方向に隣接する複数枚のレンズにおける互いに対向するレンズ面間の距離を簡便かつ適正に規制することが可能となる。
【００２２】
一方、突き当て構造部が形成されていないレンズ面側は、突き当て構造部が形成されているレンズ面側よりも微視的表面積が大きく形成されていることによって、突き当て構造部が形成されているレンズ面側よりも金型に食い付き易くなっている。このため、突き当て構造部が形成されていないレンズ面側をエジェクタピンによる突き出し側とするレンズの射出成形を適正に行うことが可能である。
【００２３】
なお、本明細書において、「微視的表面積」とは、面を一見して巨視的に見た場合（すなわち、面形状を巨視的に見た場合）における巨視的表面積のみをいうものではなく、面上に存在する細かな凹凸の表面積をも厳密に加算した場合における表面積をいうものとする。
【００２４】
請求項２に係るレンズの特徴は、請求項１において、前記突き当て構造部が、前記相手方レンズに当接する唯一の当接面を有する点にある。
【００２５】
そして、この請求項２に係る発明によれば、突き当て構造部の相手方レンズに対する当接面積を更に大きくとることができ、その上、構造的にも強くすることができるため、突き当て構造部を相手方レンズに対して更に安定的かつ適正に当接させることができ、この結果、光軸方向に隣接する複数枚のレンズにおける互いに対向するレンズ面間の距離を更に良好に規制することが可能となる。
【００２６】
請求項３に係るレンズの特徴は、請求項１または請求項２において、前記突き当て構造部が形成されていないレンズ面側の外周縁部には粗面化処理が施され、前記突き当て構造部及びこの突き当て構造部が形成されているレンズ面側の外周縁部には粗面化処理が施されていない点にある。
【００２７】
そして、この請求項３に係る発明によれば、前記突き当て構造部が形成されていないレンズ面側の外周縁部にのみ粗面化処理を施すことによって、突き当て構造部のような巨視的表面積を大きくする構成部が形成されていないと言えども、突き当て構造部が形成されていないレンズ面側の微視的表面積を突き当て構造部が形成されているレンズ面側よりも大きくして金型に食い付き易くすることができる。この結果、突き当て構造部が形成されていないレンズ面側をエジェクタピンによる突き出し側とするレンズの成形をさらに簡便かつ適正に行うことが可能となる。
【００２８】
請求項４に係る撮像レンズを用いた撮像装置の特徴は、光軸方向に所定のレンズ厚を隔てて形成された２つのレンズ面のうちの一方のレンズ面に連なる外周縁部に、光軸方向に突出するようにして前記レンズ面と一体的に形成され、前記一方のレンズ面に臨む位置に配置される相手方レンズに直接または間隔保持部材を介して当接することによって、前記一方のレンズ面と、このレンズ面に対向する前記相手方レンズのレンズ面との間の距離を規制可能とされた突き当て構造部を有する撮像レンズおよびこの撮像レンズの像面側に配置される撮像素子を備えた撮像装置において、前記突き当て構造部が、前記２つのレンズ面のうち、前記外周縁部および前記突き当て構造部を含めた微視的表面積が、他方のレンズ面よりも小さくなるレンズ面側の外周縁部に形成されている点にある。
【００２９】
そして、この請求項４に係る発明によれば、エジェクタピンによる突き出し側とは逆側のレンズ面に連なる外周縁部に突き当て構造部を形成することができるため、突き当て構造部の相手方レンズに対する当接面の面積を大きくすることができ、この結果、光軸方向に隣接する複数枚のレンズにおける互いに対向するレンズ面間の距離を適正に規制することが可能となる。
【００３０】
一方、突き当て構造部が形成されていないレンズ面側は、突き当て構造部が形成されているレンズ面側よりも微視的表面積が大きく形成されていることによって、突き当て構造部が形成されているレンズ面側よりも金型に食い付き易くなっている。このため、突き当て構造部が形成されていないレンズ面側をエジェクタピンによる突き出し側とするレンズの射出成形を適正に行うことが可能である。
【００３１】
請求項５に係る撮像レンズを用いた撮像装置の特徴は、請求項４において、前記突き当て構造部が、前記相手方レンズに当接する唯一の当接面を有する点にある。
【００３２】
そして、この請求項５に係る発明によれば、突き当て構造部の相手方レンズに対する当接面積を更に大きくとることができ、その上、構造的にも強くすることができるため、突き当て構造部を相手方レンズに対して更に安定的かつ適正に当接させることができ、この結果、光軸方向に隣接する複数枚のレンズにおける互いに対向するレンズ面間の距離をさらに良好に規制することが可能となる。
【００３３】
請求項６に係る撮像レンズを用いた撮像装置の特徴は、請求項４または請求項５において、前記突き当て構造部が形成されていないレンズ面側の外周縁部には粗面化処理が施され、前記突き当て構造部及びこの突き当て構造部が形成されているレンズ面側の外周縁部には粗面化処理が施されていない点にある。
【００３４】
そして、この請求項６に係る発明によれば、前記突き当て構造部が形成されていないレンズ面側の外周縁部にのみ粗面化処理を施すことによって、突き当て構造部のような巨視的表面積を大きくする構成部が形成されていないと言えども、突き当て構造部が形成されていないレンズ面側の微視的表面積を突き当て構造部が形成されているレンズ面側よりも大きくして金型に食い付き易くすることができる。この結果、突き当て構造部が形成されないレンズ面側をエジェクタピンによる突き出し側とするレンズの成形をさらに簡便かつ適正に行うことが可能となる。
【００３５】
【発明の実施の形態】
以下、本発明に係るレンズおよびこれを用いた撮像装置の実施形態について、図１乃至図９を参照して説明する。
【００３６】
なお、従来と基本的構成の同一もしくはこれに類する箇所については、同一の符号を用いて説明する。
【００３７】
図１乃至図３に示すように、本実施形態におけるレンズ１０は、光軸１方向に所定のレンズ厚を隔てて形成された２つのレンズ面２，３のうちの一方（図１における左方）のレンズ面２に連なる外周縁部２ａに、光軸１方向（図１における左方向）に突出するようにしてレンズ面２と一体的に形成された円環状の突き当て構造部１１を有している。
【００３８】
そして、この突き当て構造部１１をレンズ面２に臨む位置に配置される相手方レンズの当接部位に当接させることによって、レンズ面２と、このレンズ面２に対向する相手方レンズのレンズ面との間の距離を規制するようになっている。
【００３９】
本実施形態においては、突き当て構造部１１が、２つのレンズ面２，３のうち、外周縁部２ａ，３ａおよび突き当て構造部１１を含めた微視的表面積が他方のレンズ面３よりも小さくなるレンズ面２側の外周縁部２ａに形成されている。
【００４０】
すなわち、突き当て構造部１１が形成されている図１における左側に位置するレンズ面２は、同図における右側に位置するレンズ面３よりも外周縁部２ａおよび突き当て構造部１１を含めた微視的表面積が小さく形成されている。
【００４１】
すなわち、本実施形態においては、図１に示す突き当て構造部１１が形成されていないレンズ面３側の外周縁部３ａ及びその側面部３ｂにのみ金型の形状に基づく粗面化処理を施し、これにより、レンズ面３側の微視的表面積がレンズ面２側に比して大となるように構成されている。
【００４２】
ここで、このような２つのレンズ面２，３を有するレンズ４を、ポリオレフィン系樹脂材料やポリカーボネート等の樹脂材料を用いて射出成形する際には、金型には、微視的表面積が大きなレンズ面３側、すなわち、突き当て構造部１１が形成されていないレンズ面３側が食い付くこととなる。
【００４３】
このため、突き当て構造部１１が形成されていないレンズ面３側（図１においてはパーティングラインＰ．Ｌ．を挟んで右側となる可動盤側のレンズ面側）が、エジェクタピンによる突き出し側となる。
【００４４】
このように、突き当て構造部１１が形成されていないレンズ面３側の外周縁部３ａ及びその側面部３ｂにのみ金型の形状に基づく粗面化処理を施し、突き当て構造部１１およびこの突き当て構造部１１が形成されているレンズ面２側の外周縁部２ａには粗面化処理を施さないような構成とすれば、簡便な手法によって、突き当て構造部１１が形成されていないレンズ面３側の微視的表面積を、突き当て構造部１１が形成されているレンズ面２側よりも相対的に大きくして金型に食い付き易くすることができる。
【００４５】
この結果、突き当て構造部１１が形成されていないレンズ面３側をエジェクタピンによる突き出し側とするレンズ１０の成形をさらに簡便かつ適正に行うことが可能となる。
【００４６】
つまり、本実施形態においては、図２および図３に示すように、エジェクタピンによる突き出し側とは逆側のレンズ面２に連なる外周縁部２ａに突き当て構造部１１を形成することができる。
【００４７】
これにより、従来のように突き当て構造部１１をエジェクタピンによる突き出し側と同じ側に分割して形成する場合に比べて、相手方レンズに対する突き当て構造部１１の当接面１１ａの面積を格段に大きくすることができる。
【００４８】
この結果、光軸１方向に隣接する複数枚のレンズにおける互いに対向するレンズ面間の距離を簡便かつ適正に規制することが可能となる。
【００４９】
一方、前述のように、突き当て構造部１１が形成されていないレンズ面３側は、突き当て構造部１１が形成されているレンズ面２側よりも外周縁部３ａ及びその側面部３ｂを含めた微視的表面積が大きく形成されているため、たとえ、突き当て構造部１１のような巨視的表面積を大きくする構成部が形成されていないと言えども、突き当て構造部１１が形成されているレンズ面２側よりも金型に食い付き易くなっている。このため、突き当て構造部１１が形成されていないレンズ面３側をエジェクタピンによる突き出し側としても、レンズ１０の射出成形による製造を適正に行うことが可能である。
【００５０】
なお、本実施形態においては、図３に示すように、突き当て構造部１１は相手方レンズに当接する唯一の当接面１１ａとして形成されている。
【００５１】
この当接面１１ａは、とびとびの形で複数個、分離して形成される形でももちろん差し支えないが、このような唯一の面（連続した単一の面）とすれば、突き当て構造部１１の相手方レンズに対する当接面１１ａの面積を更に大きくとることができ、その上、構造的にも強くすることができるため、突き当て構造部１１を相手方レンズに対して更に安定的かつ適正に当接させることができる。
【００５２】
この結果、複数枚のレンズにおける互いに対向するレンズ面間の距離を更に良好に規制することが可能となる。
【００５３】
なお、図１乃至図３は、レンズ１０に樹脂材料の流入口としてのＤカット９が形成されていない実施形態を示したものであるが、本発明は、図４乃至図６に示すようなＤカット９が形成されているレンズ１０にも有効に適用することができ、この場合においても、図１乃至図３のレンズ１０と同様の効果を奏することが可能なことは勿論である。
【００５４】
また、上述した金型への食い付き易さ向上における粗面化処理については、ランダムな凹凸からなる粗面、規則的あるいは不規則的なヘアライン状の凹凸形状の粗面等を好適なものとして挙げることができる。また、粗面化処理に代えて、部分的にアンダーカット形状を形成する構成としてもよい。尚、本実施形態においては、レンズ面３側にのみ粗面化処理を施す例を説明したが、この粗面化処理はレンズ面２側とレンズ面３側の両方に施す形としてもよく、この場合には、両面で粗面化の程度を異ならせる（例えば、レンズ面３側の粗面化度合を、レンズ面２側の粗面化度合よりも大とする）等により、最終的にレンズ面３側をレンズ面２側よりも金型に食い付き易い状態とすればよい。
【００５５】
次に、本実施形態の作用について説明する。
【００５６】
本実施形態においては、前述のように微視的表面積が小さなレンズ面２側の外周縁部２ａに突き当て構造部１１が形成されたレンズ１０を２枚用意し、この２枚のレンズ１０の突き当て構造部１１を図７に示すように互いに当接させることによって、両レンズ１０の互いに対向するレンズ面２間の距離を規制する。
【００５７】
このとき、両レンズ１０の突き当て構造部１１は、従来のように複数に分割されてはおらず、相手方レンズ１０に対する唯一の当接面１１ａを有する形状に形成されている。
【００５８】
これにより、突き当て構造部１１の当接面１１ａの面積を従来よりも格段に大きくとることができるため、相手方レンズ１０の突き当て構造部１１に局所的な応力が作用することはない。
【００５９】
従って、両突き当て構造部１１同士を互いに圧壊することなく適正かつ安定的に当接させることができる。これは、レンズ１０にＤカット９を形成する場合であっても、形成しない場合であっても同様である。
【００６０】
この結果、両レンズ１０の互いに対向するレンズ面２間の距離を適正に規制することができ、両レンズ１０によって構成されるレンズ系の結像性能を向上することができる。
【００６１】
なお、図７においては、２枚のレンズ１０の突き当て構造部１１同士を互いに直接当接させることによって両レンズ１０のレンズ面２間の距離を規制しているが、これに限る必要はなく、図８に示すように、環状の間隔保持部材１２を両突き当て構造部１１の間に介在させることによってレンズ面２間の距離を規制するようにしてもよい。
【００６２】
この場合であっても、一方のレンズ１０の突き当て構造部１１は、間隔保持部材１２を介して他方のレンズ１０の突き当て構造部１１に安定的に当接することができるため、両レンズ１０のレンズ面２間の距離を適正に規制することが可能である。
【００６３】
さらに、間隔保持部材１２を介在させるようにすれば、突き当て構造部１１自体の光軸方向の寸法を短くすることができるため、この突き当て構造部１１が一体形成されるレンズ１０自体の肉厚差を小さくすることができ、更に容易に成形することが可能となる。
【００６４】
以上のような突き当て構造部１１を備えた２枚のレンズ１０は、図９に示すように、レンズ系の物体側に前絞り１４を、像面側に後絞り１５を備えた筒状の胴体部１６内に収容され、さらに、後絞り１５の像面側にＣＣＤやＣＭＯＳ等の固体撮像素子を備えることによって撮像装置としてのカメラ１８を構成するようになっている。
【００６５】
このようなカメラ１８を用いて物体を撮像する場合、物体を撮像素子のセンサ面１９に適正に結像させることができ、高画質の画像を得ることができる。
【００６６】
したがって、本実施形態によれば、エジェクタピンによる突き出し側とは逆側のレンズ面２に連なる外周縁部２ａに突き当て構造部１１を形成することができるため、突き当て構造部１１に大面積の当接面１１ａを確保することができる。
【００６７】
この結果、複数枚のレンズ１０における互いに対向するレンズ面２間の距離を簡便かつ適正に規制して良好な結像性能を得ることができる。
【００６８】
なお、本発明は前記実施例形態のものに限定されるものではなく、必要に応じて種々変更することが可能である。
【００６９】
例えば、本発明は、光軸方向に３枚以上のレンズを順次配置した撮像レンズにも充分に適用し得るものである。
【００７０】
さらに、突き当て構造部１１が形成されているレンズ面２側の金型への食い付きを防止してレンズ１０を更に適正に成形する観点から、突き当て構造部１１は、先端部に向かって次第に細くなるように側面が光軸１に対して一定の傾斜を有する形状に形成されていることが望ましい。この場合、光軸１に対する傾斜角は、例えば６°程度とされていることが望ましい。
【００７１】
【発明の効果】
以上述べたように本発明の請求項１に係るレンズによれば、隣接して配置される相手方レンズとのレンズ面間距離を適正に規制することができ、光学性能に優れたレンズを実現することができる。
【００７２】
請求項２に係るレンズによれば、請求項１に係るレンズの効果に加えて、さらに光学性能に優れたレンズを実現することができる。
【００７３】
請求項３に係るレンズによれば、請求項１または請求項２に係るレンズの効果に加えて、光学性能に優れた撮像レンズをさらに簡便かつ安価に実現することができる。
【００７４】
請求項４に係る撮像レンズを用いた撮像装置によれば、光学性能に優れた撮像装置を実現することができる。
【００７５】
請求項５に係る撮像レンズを用いた撮像装置によれば、請求項４に係る撮像レンズを用いた撮像装置の効果に加えて、さらに光学性能に優れた撮像装置を実現することができる。
【００７６】
請求項６に係る撮像レンズを用いた撮像装置によれば、請求項４または請求項５に係る撮像レンズを用いた撮像装置の効果に加えて、光学性能に優れた撮像装置をさらに簡便かつ安価に実現することができる。
【図面の簡単な説明】
【図１】本発明に係るレンズの実施形態を示す側面図
【図２】図１に示すレンズの背面図
【図３】図１に示すレンズの正面図
【図４】本発明に係るレンズの実施形態において、図１と異なる他の形態を示す側面図
【図５】図４に示すレンズの背面図
【図６】図４に示すレンズの正面図
【図７】本発明に係る撮像レンズの実施形態において、突き当て構造部を備えた２枚のレンズにおけるレンズ面間の距離の規制状態を示す概略構成図
【図８】本発明に係る撮像レンズの実施形態において、突き当て構造部を備えた２枚のレンズにおけるレンズ面間の距離の規制状態を示す図７と異なる概略構成図
【図９】本発明に係る撮像装置の実施形態を示す概略構成図
【図１０】従来から採用されているレンズの一例を示す側面図
【図１１】図１０に示すレンズの背面図
【図１２】図１０に示すレンズの正面図
【図１３】従来から採用されている撮像レンズにおいて、突き当て構造部を備えた２枚のレンズにおけるレンズ面間の距離の規制状態を示す概略構成図
【符号の説明】
１  光軸
２，３  レンズ面
２ａ，３ａ  外周縁部
３ｂ  側面部
７  エジェクタピン当接部
１０  レンズ
１１  突き当て構造部
１２  間隔保持部材
１８  カメラ
１９  センサ面
【図１】
2004317561.tif 000003
【図２】
2004317561.tif 000004
【図３】
2004317561.tif 000005
【図４】
2004317561.tif 000006
【図５】
2004317561.tif 000007
【図６】
2004317561.tif 000008
【図７】
2004317561.tif 000009
【図８】
2004317561.tif 000010
【図９】
2004317561.tif 000011
【図１０】
2004317561.tif 000012
【図１１】
2004317561.tif 000013
【図１２】
2004317561.tif 000014
【図１３】
2004317561.tif 000015